【手続補正書】
【提出日】平成15年4月21日(2003.4.21)
【手続補正１】
【補正対象書類名】明細書
【補正対象項目名】特許請求の範囲
【補正方法】変更
【補正の内容】
【特許請求の範囲】
【請求項１】
反応用の成分の懸濁液を含んでいる少なくとも一つの小びんを保持する熱サイクルブロックを含む反応装置のＤＮＡのポリメラーゼ連鎖反応複製をモニタするための光学機器であって、前記成分はＤＮＡの存在に比例して蛍光を発する蛍光性一次染料を含み、前記機器は、
前記一次染料を発光周波数で蛍光発光させる第１の励起周波数を少なくとも有するソースビームを発する光源と、
前記ソースビームを受け入れて、前記励起周波数を有する励起ビームを生じるように配置された第１の手段と、
前記一次染料が前記発光周波数を有する発光ビームを発するようにするために各懸濁液に前記励起ビームの焦点を結ばせるように配置された一次のフォーカス手段と、を有し、前記発光ビームは各懸濁液のＤＮＡの濃度を表す強度を有し、前記フォーカス手段は前記発光ビームを受け取ると共に通過させ、
さらに前記機器は、前記発光周波数の前記発光ビームをさらに通過させるように前記フォーカス手段からの発光ビームを受け入れるように配置された第２の手段と、
前記発光ビームの焦点を結ばせるための発光フォーカス手段と、
前記発光ビームが検出器に焦点を結ぶように、前記第２の手段および前記発光フォーカス手段からの前記発光ビームを受け入れるように配置された前記検出器とを有し、前記検出器は前記発光ビームを表す第１データ信号を生成し、これによって各小びんのＤＮＡの対応する濃度を生成し、
さらに前記機器は、第１信号データと前記ＤＮＡの対応する濃度とを計算するための前記第１データ信号を受けとる処理手段を有する光学機器であって、
前記ブロックは、複数の小びんを保持するように構成され、前記フォーカス手段は、対応する複数個の小びんレンズからなり、前記レンズの各々は小びんを覆う位置に配置され、これにより前記発光ビームは小びんに各々対応した個々のビームからなり、前記検出器は、前記個々のビームを受け入れて対応するデータ信号を生成する光受容体のアレイからなり、これにより前記処理手段は各小びん内のＤＮＡ濃度を計算することを特徴とする光学機器。
【請求項２】
前記第１の手段および前記第２の手段は、ともに、
前記ソースビームを受け入れて前記励起ビームを生じ、且つ前記発光ビームを受け入れて前記発光周波数の前記発光ビームを前記検出器まで通過させるビームスプリッタを有することを特徴とする請求項１記載の機器。
【請求項３】
前記ビームスプリッタは、前記励起周波数を有する光を反射し、且つ前記発光周波数を有する光を通過するように配置されることを特徴とする請求項２記載の機器。
【請求項４】
前記小びんは、透明な小びんキャップを有し、前記機器は、更に、前記個々のビーム及び前記励起ビームの関連部分を通過させるように前記小びんレンズと一列に並べられる孔を有するプラテンを含み、前記プラテンは前記孔がキャップに接触してはめ込まれるように配置され、さらに機器は、前記小びんでのＤＮＡ複製を妨げずに前記キャップの下の凝結を防ぐように前記プラテンを十分に加熱する加熱手段を含むことを特徴とする請求項１記載の機器。
【請求項５】
前記フォーカス手段は、前記小びんレンズと協動するように配置されて各懸濁液の中に前記励起ビームの焦点を結ばせるように作用するとともに前記個々のビームを前記第２の手段に通過させる視野レンズをさらに含むことを特徴とする請求項１記載の機器。
【請求項６】
前記視野レンズが、補正された非球面フレネルレンズであることを特徴とする請求項５記載の機器。
【請求項７】
前記発光フォーカス手段は、前記第２の手段および前記検出器の間に配置された検出レンズを含み、前記検出レンズは前記小びんレンズおよび前記視野レンズと協動して前記検出器上に前記個々のビームの焦点を結ばせることを特徴とする請求項５記載の機器。
【請求項８】
前記励起ビームに反応して参照光を発する蛍光性の基準エミッタを更に含み、前記基準エミッタは、前記発光フォーカス手段が前記検出器上に参照ビームとして前記参照光の少なくとも一部の焦点を結ぶように配置され、前記検出器はさらに前記参照ビームを受け入れて基準信号を生成し、前記処理手段は、基準データを計算するために前記基準信号を受け入れる手段と、ＤＮＡの複製反応にて選ばれたポイントに対する基準データで第１データを規格化する手段とを含み、故に、前記モニタする間の機器ドリフトを補正することを特徴とする請求項７記載の機器。
【請求項９】
基準部材は、各々が前記励起ビームに反応して強度が異なる参照ビームを発する複数の基準エミッタを含み、前記基準エミッタは、前記発光フォーカス手段が前記検出器上に各参照ビームの焦点を結ぶように配置され、前記検出器はさらに各参照ビームを受け入れて基準エミッタ毎に一組の基準信号を生成し、
前記処理手段は、前記基準信号を受け入れて相当する基準データの組を計算する手段と、所定の最大値未満の最大の信号データを有する選択された基準データを組から選択する手段とを含み、前記選択された基準データは第１データを規格化するために使用されることを特徴とする請求項８記載の機器。
【請求項１０】
前記第１の手段は更に励起フィルタを含み、前記第２の手段は更に発光フィルタを含み、前記第１の手段および前記第２の手段は、共にビームスプリッタを含み、前記励起フィルタは前記光源および前記ビームスプリッタの間に配置され、前記発光フィルタは前記ビームスプリッタおよび前記検出器の間に配置され、前記励起フィルタは前記励起周波数を有する光を通過させるとともに前記発光周波数を有する光を実質的に遮断し、前記発光フィルタは前記発光周波数を有する光を通過させるとともに前記励起周波数を有する光を実質的に遮断し、前記励起フィルタおよび前記ビームスプリッタは協動して前記ソースビームを受け入れて前記励起ビームを生じ、前記発光フィルタおよび前記ビームスプリッタは協動して前記発光ビームを受け入れて前記検出器まで前記発光周波数を有する前記発光ビームを通過させることを特徴とする請求項１記載の機器。
【請求項１１】
前記光源、前記検出器、前記フォーカス手段、フィルタモジュールを含んでいる筐体を更に含み、前記ビームスプリッタ、前記励起フィルタ、前記発光フィルタは前記モジュール内に取り付けられて前記懸濁液に対して選択された一次の染料と関連し、前記モジュールは、選択された別の一次の染料と関連する別のモジュールと置き換えのために前記筐体から着脱可能であることを特徴とする請求項１０記載の機器。
【請求項１２】
前記光源は、ハロゲンランプと、前記第１の手段から反対側に前記ランプまでの近傍に配置された楕円反射器とを含み、前記ランプは前記楕円反射器から焦点距離に配置されて前記楕円反射器から反射した光で前記ソースビームを生じ、前記楕円反射器は実質的に可視光を反射し且つ赤外線光を透過することを特徴とする請求項１記載の機器。
【請求項１３】
前記励起ビームに応答して参照光を発する蛍光性基準エミッタを更に有し、前記基準エミッタは、前記発光フォーカス手段が前記検出器上に参照ビームとして前記参照光の少なくとも一部の焦点を結ぶように配置され、前記検出器はさらに前記参照ビームを受け入れて基準信号を生成し、前記処理手段は、前記基準信号を受け入れて基準データを計算する手段と、ＤＮＡの反応複製の間に選ばれたポイントに対する前記基準データで第１データを規格化する手段とを有し、故に前記モニタする間の機器ドリフトを補正することを特徴とする請求項１記載の機器。
【請求項１４】
基準部材は、各々が前記励起ビームに応答して強度の異なる参照ビームを発する複数の基準エミッタを含み、前記基準エミッタは、前記発光フォーカス手段が前記検出器の上に各参照ビームの焦点を結ぶように配置され、前記検出器はさらに各参照ビームを受け入れて前記基準エミッタ毎に一組の基準信号を生成し、前記処理手段は前記基準信号を受け入れて対応する基準データの組を計算する手段と、所定の最大値未満の最大信号データを有する選択された前記基準データを組から選択する手段とを有し、前記選択した基準データは前記第１データを規格化するために使用されることを特徴とする請求項１３記載の機器。
【請求項１５】
前記基準部材は、プラスチック蛍光片と、前記参照ビームと前記励起ビームの一部とが中性の密度フィルタによって減衰されるように前記蛍光片に取り付けられた中性の密度フィルタとを含み、前記中性の密度フィルタは一連の密度を有して各々が参照ビームを発する複数の基準エミッタに作用することを特徴とする請求項１４記載の機器。
【請求項１６】
実質的に一定の温度に前記基準部材を維持する温度手段を更に含むことを特徴とする請求項１５記載の機器。
【請求項１７】
前記温度手段は、前記蛍光片の下に取り付けられる加熱片と、前記加熱片を制御自在に加熱する手段を含むことを特徴とする請求項１６記載の機器。
【請求項１８】
各々が前記励起ビームに応答して強度の異なる参照ビームを発する複数の蛍光性の基準エミッタを更に有し、前記基準エミッタは、発光フォーカス手段が前記検出器上に各参照ビームの焦点を結ぶように配置され、前記検出器はさらに各参照ビームを受け入れて基準エミッタ毎の一組の基準信号を生成し、前記処理手段は、前記基準信号を受け入れて基準データの対応する組を計算する手段と、所定の最大値未満の最大信号データを有する選択された前記基準データを組から選択する手段と、ＤＮＡの反応複製の間に選ばれたポイントに対して対応する選択基準データで前記第１データを規格化する手段とを有し、故に、前記モニタする間の機器ドリフトを補正することを特徴とする請求項１記載の機器。
【請求項１９】
データ信号の組は複製シーケンスにて順次生成され、前記処理手段または前記検出器、またはその組合せは、各組の前記データ信号に対して飽和制限を有し、前記検出器は、前記処理手段に動作可能なように接続され、これにより前記検出器は一組の信号の各々を生成するために予め選択された露光時間に亘って入力される発光ビームを積分し、前記処理手段は、前記飽和制限未満に対応するデータ信号を維持するために所定の動作範囲内に前記第１データを維持するように露光時間の調整を自動的に行う調節手段と、露光時間の前記調整に比例して前記第１データを補正する手段とを有することを特徴とする請求項１記載の機器。
【請求項２０】
前記検出器は、関連する露光時間にて対応するデータ信号を生成するために前記発光ビームを受け入れる光受容体のアレイを有し、前記所定の動作範囲が光受容体毎に存在し、前記処理手段は、更に光受容体毎に前記データ信号から光受容体データを計算する手段を有し、前記調節手段は、最大光受容体データを確認する手段と、最大光受容体データと前記所定の動作範囲との大小またはその範囲内にあるかどうかを判別する手段と、かかる判別に基づいて前記所定の動作範囲内に次の光受容体データを維持するために次の露光時間に作用するように前記露光時間をそれぞれ増減、又は維持する手段と、を有することを特徴とする請求項１９記載の機器。
【請求項２１】
各々が前記励起ビームに応答して強度の異なる参照ビームを発する複数の蛍光性の基準エミッタを更に有し、前記基準エミッタは、前記発光フォーカス手段が前記検出器上に各参照ビームの焦点を結ぶように配置され、前記検出器は各参照ビームを受け入れて基準エミッタ毎に一組の基準信号を生成し、前記処理手段は、前記基準信号を受け入れて基準データの対応する組を計算する手段と、所定の最大値未満の最大信号データを有する選択された前記基準データを組から選択する手段と、ＤＮＡの反応複製にて選ばれたポイントに対して対応する選択基準データで第１データを規格化する手段とを有し、故に前記モニタする間の機器ドリフトを補正することを特徴とする請求項１記載の機器。
【請求項２２】
小びんの前記成分は、更にＤＮＡからの影響を受けずに実質的に蛍光を発する蛍光性受動染料の標準濃度を含み、前記ソースビームは、第２の発光周波数で前記受動染料を蛍光発光させ、このことにより、前記第２の手段を通過させて前記検出器の上へ焦点を結ばせ第２の発光ビームを発光させて対応する第２データ信号を生成する第２の励起周波数を含み、前記処理手段は、更に前記第２データ信号を受け入れて第２データを計算する手段と、前記第１データを規格化する染料のための手段とを有し、ＤＮＡの計算された濃度は、受動染料の標準濃度に規格化されることを特徴とする請求項１９記載の機器。
【請求項２３】
前記第２の励起周波数は、前記第１の励起周波数と同一であり、前記受動染料は、前記第２のビームが前記発光周波数に実質的にあるように蛍光を発し、ＤＮＡが再び結合され且つ対応して一次の染料の発光が最大になるときに前記熱サイクルブロックのサイクリングの伸長相の間に前記第１データ信号が生成され、ＤＮＡが変性され且つ対応して一次の染料の発光が最小になるときに前記熱サイクルブロックのサイクリングの変性相の間に前記第２データ信号は生成され、故に、伸長相のためのデータ信号は実質的にＤＮＡ濃度を表わし、変性相のデータ信号は実質的に受動染料の標準濃度を表わすことを特徴とする請求項２２記載の機器。
【請求項２４】
小びんの前記成分は、更にＤＮＡからの影響を受けずに実質的に蛍光を発する蛍光性受動染料の標準濃度を含み、前記ソースビームは、第２の発光周波数で受動染料を蛍光発光させ、このことにより、前記第２の手段を通過されて前記検出器上へ焦点を結ばせた第２の発光ビームを発光させて対応する第２データ信号を生成する第２の励起周波数を含み、前記処理手段は、更に前記第２データ信号を受け入れて第２データを計算する手段と、第１データを規格化する染料のための手段とを有し、ＤＮＡの計算された濃度は、受動染料の前記標準濃度に規格化されることを特徴とする請求項１記載の機器。
【請求項２５】
前記第２の励起周波数は、前記第１の励起周波数と同一であり、前記受動染料は、前記第２のビームが前記発光周波数に実質的にあるように蛍光を発し、ＤＮＡが再結合され且つ対応して一次の染料の発光が最大になるときに前記熱サイクルブロックのサイクリングの伸長相の間に前記第１データ信号が生成され、ＤＮＡが変性され且つ対応して一次の染料の発光が最小になるときに前記熱サイクルブロックのサイクリングの変性相の間に前記第２データ信号は生成され、故に、前記伸長相のためのデータ信号は実質的にＤＮＡ濃度を表わし、前記変性相のデータ信号は実質的に受動染料の前記標準濃度を表わすことを特徴とする請求項２４記載の機器。
【請求項２６】
ＤＮＡを複製し且つそれをモニタするシステムであって、ＤＮＡのポリメラーゼ連鎖反応複製用の反応装置と、かかる複製の間のＤＮＡの存在を監視する光学機器とから成り、前記装置は、前記反応用の成分の懸濁液を含む少なくとも一つの小びんを保持する熱サイクルブロックを有し、前記成分はＤＮＡの存在に比例して蛍光を発する蛍光染料を含み、さらに前記装置は、ポリメラーゼ連鎖反応を行うための前記ブロックおよびそれに関した前記懸濁液の熱サイクリング用の手段を有し、前記機器は、
前記染料を発光周波数で蛍光発光させる励起周波数を少なくとも有するソースビームを発する光源と、
前記ソースビームを受け入れて励起周波数を有する励起ビームを生じ、且つ前記励起ビームをフォーカス手段に通過させるように配置された第１の手段とを有し、前記フォーカス手段は、前記染料が前記発光周波数を有する発光ビームを発するように懸濁液毎に前記励起ビームの焦点を結ばせるとともに、前記発光ビームを第２の手段に通過させ、前記第２の手段は前記発光ビームを検出器に更に通過させるものであり、前記検出器は、前記発光ビームおよびそれに関したＤＮＡ濃度を表わすデータ信号を生成するために前記第２の手段からの前記発光ビームを受け入れるように配置され、
さらに前記機器は、前記データ信号を受け入れて前記ＤＮＡ濃度を計算し表示する処理手段を有するものであって、
前記ブロックは、複数の小びんを保持するように構成され、前記フォーカス手段は、対応する複数個の小びんレンズからなり、前記レンズの各々は小びんを覆う位置に配置され、これにより前記発光ビームは小びんに各々対応した個々のビームからなり、前記検出器は、前記個々のビームを受け入れて対応するデータ信号を生成する光受容体のアレイからなり、これにより前記処理手段は各小びん内のＤＮＡ濃度を計算することを特徴とするシステム。
【請求項２７】
前記第１の手段および前記第２の手段は、ともに、前記ソースビームを受け入れて前記励起ビームを生じ、且つ前記発光ビームを受け入れて前記発光ビームを前記検出器に通過させるビームスプリッタを有することを特徴とする請求項２６記載のシステム。
【請求項２８】
反応用の成分の懸濁液を含んでいる複数の小びんを保持する熱サイクルブロックを含む反応装置のＤＮＡのポリメラーゼ連鎖反応複製をモニタするための光学機器用のフィルタモジュールであって、前記成分はＤＮＡの存在に比例して蛍光を発する蛍光性一次染料を含み、前記機器は、筐体と、前記染料を発光周波数で蛍光発光させる励起周波数を少なくとも有するソースビームを発するように前記筐体に配置される光源と、前記染料が前記発光周波数を有する発光ビームを発するように各懸濁液に励起周波数を有する励起ビームの焦点を結ばせるように前記筐体に配置されるフォーカス手段と、前記発光ビームを受け入れるように前記筐体に配置されて前記発光ビームおよびそれに関したＤＮＡ濃度を表すデータ信号を生成する検出器と、前記データ信号を受け入れて前記ＤＮＡ濃度を計算して表示する処理手段と、を有し、
前記モジュールは、
前記機器の内部に受け入れられるようなサポートフレームと、
前記サポートフレーム内に取り付けられるビームスプリッタとを有し、前記モジュールが差し込まれた状態で、前記ビームスプリッタは前記ソースビームを受け入れて前記励起ビームを生じ、前記発光ビームを受け入れて前記発光ビームを前記検出器に通過させ、
さらに前記モジュールは、前記励起周波数を有する光を通過させ且つ実質的に前記発光周波数を有する光を遮断する励起フィルタを有し、前記励起フィルタは、前記サポートフレームの内部に取り付けられることにより、前記モジュールが挿入された状態で、前記光源および前記ビームスプリッタの間に配置され、
さらに前記モジュールは、前記発光周波数を有する光を通過し且つ実質的に前記励起周波数を有する光を遮断する発光フィルタを有し、前記発光フィルタは、前記サポートフレーム内に取り付けられることにより、前記モジュールが挿入された状態で、前記検出器および前記ビームスプリッタの間に配置され、
前記ビームスプリッタ、前記励起フィルタ、前記発光フィルタ、従って前記モジュールは、前記懸濁液用に選択された染料と関連し、前記モジュールは選択された別の染料と関連する別のモジュールに置き換えるために前記筐体から着脱可能であることを特徴とするフィルタモジュール。
【請求項２９】
前記ビームスプリッタは、励起周波数を有する光を反射し、前記発光周波数を有する光を透過させることを特徴とする請求項２８記載のモジュール。
【請求項３０】
複数の離間した反応成分容器と、
前記複数の容器へ励起ビームを差し向けるようにした光源と、
前記光源と前記複数の容器との間に、励起ビーム光路に沿って配置されたフレネルレンズと、
発光ビーム光路に沿って配置され、前記フレネルレンズから発せられた発光ビームを受けるように配置された検出器と、からなる機器であって、
前記フレネルレンズも、前記複数の容器と前記検出器との間に、発光ビーム光路に沿って配置されていることを特徴とする機器。
【請求項３１】
前記検出器は、前記発光ビームを表す第１データ信号を生成することを特徴とする請求項３０記載の機器。
【請求項３２】
前記第１データ信号を受けて対応する各容器内濃度を計算するプロセッサをさらに有することを特徴とする請求項３１記載の機器。
【請求項３３】
前記フレネルレンズと前記検出器との間に、発光ビーム光路に沿って配置される検出レンズをさらに有することを特徴とする請求項３１記載の機器。
【請求項３４】
前記光源と前記フレネルレンズとの間に、励起ビーム光路に沿って配置される励起ビームフィルタをさらに有することを特徴とする請求項３０記載の機器。
【請求項３５】
前記検出器と前記フレネルレンズとの間に、発光ビーム光路に沿って配置される発光ビームフィルタをさらに有することを特徴とする請求項３０記載の機器。
【請求項３６】
前記光源と前記フレネルレンズとの間に、励起ビーム光路に沿って配置される折りたたみ式の鏡をさらに有することを特徴とする請求項３０記載の機器。
【請求項３７】
前記光源と前記フレネルレンズとの間に、励起ビーム光路に沿って配置されるビームスプリッタをさらに有することを特徴とする請求項３０記載の機器。
【請求項３８】
前記フレネルレンズと前記複数の容器との間に、励起ビーム光路に沿って配置される複数のフォーカスレンズをさらに有することを特徴とする請求項３０記載の機器。
【請求項３９】
前記機器は、複数の励起ビームを、前記複数の容器に各々同時に差し向けるようにしていることを特徴とする請求項３０記載の機器。
【請求項４０】
前記複数の容器の各々に、配分された反応成分をさらに有することを特徴とする請求項３０記載の機器。
【請求項４１】
前記反応成分は、励起ビームに照射されたときに発光ビームを発するマーカー染料の濃度を含むことを特徴とする請求項４０記載の機器。
【請求項４２】
前記反応成分は、ポリメラーゼ連鎖反応のための成分を含んでいることを特徴とする請求項４０記載の機器。
【請求項４３】
前記複数の容器は９６個の容器からなることを特徴とする請求項３０記載の機器。
【請求項４４】
前記複数の離間した反応成分容器は、ブロック内に配列された複数の窪みからなることを特徴とする請求項３０記載の機器。
【請求項４５】
複数の離間したサンプル用窪みを有するブロックと、
前記複数の窪みへ励起ビームを差し向けるようにした光源と、
前記光源と前記複数の窪みとの間に、励起ビーム光路に沿って配置されたフレネルレンズと、
発光ビーム光路に沿って配置され、前記フレネルレンズから発せられた発光ビームを受けるように配置された検出器と、からなる機器であって、
前記フレネルレンズは、前記複数の窪みと前記検出器との間に、発光ビーム光路に沿って配置されていることを特徴とする機器。
【請求項４６】
前記検出器は、前記発光ビームを表す第１データ信号を生成することを特徴とする請求項４５記載の機器。
【請求項４７】
前記第１データ信号を受けて対応する各窪み内濃度を計算するプロセッサをさらに有することを特徴とする請求項４６記載の機器。
【請求項４８】
前記フレネルレンズと前記検出器との間に、発光ビーム光路に沿って配置される検出レンズをさらに有することを特徴とする請求項４６記載の機器。
【請求項４９】
前記光源と前記フレネルレンズとの間に、励起ビーム光路に沿って配置される励起ビームフィルタをさらに有することを特徴とする請求項４５記載の機器。
【請求項５０】
前記検出器と前記フレネルレンズとの間に、発光ビーム光路に沿って配置される発光ビームフィルタをさらに有することを特徴とする請求項４５記載の機器。
【請求項５１】
前記光源と前記複数のサンプル窪みとの間に、励起ビーム光路に沿って配置される折りたたみ式の鏡をさらに有することを特徴とする請求項４５記載の機器。
【請求項５２】
前記光源と前記フレネルレンズとの間に、励起ビーム光路に沿って配置されるビームスプリッタをさらに有することを特徴とする請求項４５記載の機器。
【請求項５３】
前記フレネルレンズと前記複数のサンプル窪みとの間に、励起ビーム光路に沿って配置される複数のフォーカスレンズをさらに有することを特徴とする請求項４５記載の機器。
【請求項５４】
前記機器は、複数の励起ビームを、前記複数のサンプル窪みに各々同時に差し向けるようにしていることを特徴とする請求項４５記載の機器。
【請求項５５】
前記複数のサンプル窪みの各々に、配分された反応成分をさらに有することを特徴とする請求項４５記載の機器。
【請求項５６】
前記反応成分は、励起ビームに照射されたときに発光ビームを発するマーカー染料の濃度を含むことを特徴とする請求項５５記載の機器。
【請求項５７】
前記反応成分は、ポリメラーゼ連鎖反応のための成分を含んでいることを特徴とする請求項５５記載の機器。
【請求項５８】
前記複数のサンプル窪みは９６個のサンプル窪みからなることを特徴とする請求項４５記載の機器。
【請求項５９】
複数の離間した反応成分容器と、
前記複数の容器へ励起ビームを差し向けるようにした光源と、
前記光源と前記複数の容器との間に、励起ビーム光路に沿って配置されたフレネルレンズと、
前記光源と前記フレネルレンズとの間に、励起ビーム光路に沿って配置されたビームスプリッタと、からなる機器であって、
前記フレネルレンズは、前記複数の容器と前記ビームスプリッタとの間に、発光ビーム光路に沿って配置されていることを特徴とする機器。
【請求項６０】
前記複数の容器から発せられる発光ビームを受けて、前記発光ビームを表す第１データ信号を生成するように配置された検出器をさらに有することを特徴とする請求項５９記載の機器。
【請求項６１】
前記フレネルレンズと前記検出器との間に、発光ビーム光路に沿って配置される検出レンズをさらに有することを特徴とする請求項６０記載の機器。
【請求項６２】
前記光源と前記ビームスプリッタとの間に、励起ビーム光路に沿って配置される励起ビームフィルタをさらに有することを特徴とする請求項５９記載の機器。
【請求項６３】
前記検出器と前記ビームスプリッタとの間に、発光ビーム光路に沿って配置される発光ビームフィルタをさらに有することを特徴とする請求項６０記載の機器。
【請求項６４】
前記光源と前記フレネルレンズとの間に、励起ビーム光路に沿って配置される折りたたみ式の鏡をさらに有することを特徴とする請求項５９記載の機器。
【請求項６５】
複数の離間したサンプル用窪みを有するブロックと、
前記複数の窪みへ励起ビームを差し向けるようにした光源と、
前記光源と前記複数のサンプル窪みとの間に、励起ビーム光路に沿って配置されたフレネルレンズと、
前記光源と前記フレネルレンズとの間に、励起ビーム光路に沿って配置されたビームスプリッタと、からなる機器であって、
前記フレネルレンズは、前記複数のサンプル窪みと前記ビームスプリッタとの間に、発光ビーム光路に沿って配置されていることを特徴とする機器。
【請求項６６】
前記複数の窪みから発せられる発光ビームを受けて、前記発光ビームを表す第１データ信号を生成するように配置された検出器をさらに有することを特徴とする請求項６５記載の機器。
【請求項６７】
前記フレネルレンズと前記検出器との間に、発光ビーム光路に沿って配置される検出レンズをさらに有することを特徴とする請求項６６記載の機器。
【請求項６８】
前記光源と前記ビームスプリッタとの間に、励起ビーム光路に沿って配置される励起ビームフィルタをさらに有することを特徴とする請求項６５記載の機器。
【請求項６９】
前記検出器と前記ビームスプリッタとの間に、発光ビーム光路に沿って配置される発光ビームフィルタをさらに有することを特徴とする請求項６６記載の機器。
【請求項７０】
前記光源と前記フレネルレンズとの間に、励起ビーム光路に沿って配置される折りたたみ式の鏡をさらに有することを特徴とする請求項６５記載の機器。
【請求項７１】
励起ビームをブロック内の複数の窪みへ差し向ける方法であって、前記方法は、
光源と、ビームスプリッタと、フレネルレンズと、複数の窪みを有するブロックと、を一連として含む機器を設置する工程と、
前記光源を用いて励起ビームを生成する工程と、
前記フレネルレンズを用いて前記複数の窪みの中に前記励起ビームの焦点を結ぶ工程と、からなることを特徴とする方法。
【請求項７２】
前記窪みは各々サンプルを含むことを特徴とする請求項７１記載の方法。
【請求項７３】
前記サンプルは、各々、前記励起ビームの照射に応じて発光ビームを発するマーカー染料の濃度を含み、前記方法はさらに、
前記各サンプルから発せられる発光ビームを、前記フレネルレンズを介して透過させる工程と、
前記フレネルレンズを介して透過した前記発光ビームを検知する工程と、
検知された前記発光ビームを表す第１データ信号を生成する工程と、を含むことを特徴とする請求項７２記載の方法。
【請求項７４】
前記第１データ信号を、前記各窪み内のマーカー染料に対応する濃度に計算するように処理する工程をさらに含むことを特徴とする請求項７３記載の方法。
【請求項７５】
複数の離間した反応成分容器に照射する方法であって、前記方法は、
光源と、ビームスプリッタと、フレネルレンズと、各々サンプルを含んだ複数の離間した反応成分容器と、を一連として含む機器を設置する工程と、
前記光源を用いて励起ビームを生成する工程と、
前記フレネルレンズを用いて、前記複数の離間した反応成分容器の各々の中の前記サンプルに、前記励起ビームの焦点を結ぶ工程と、からなることを特徴とする方法。
【請求項７６】
前記サンプルは、各々、前記励起ビームの照射に応じて発光ビームを発するマーカー染料の濃度を含み、前記方法はさらに、
前記各サンプル内のマーカー染料から発せられる発光ビームを、前記フレネルレンズを介して透過させる工程と、
前記フレネルレンズを介して透過した前記発光ビームを検知する工程と、
検知された前記発光ビームを表す第１データ信号を生成する工程と、を含むことを特徴とする請求項７５記載の方法。
【請求項７７】
前記第１データ信号を、前記各サンプル内のマーカー染料に対応する濃度に計算するように処理する工程をさらに含むことを特徴とする請求項７６記載の方法。